(57)【特許請求の範囲】
【請求項１】
両手（２，３）で保持される筐体（１０）と、
前記筐体（１０）を保持する両手（２，３）とそれぞれ接触可能に設けられ、それらの手を通して心電信号を検出する１対の心電用電極（３０）と、
前記筐体（１０）を保持する両手（２，３）のいずれかと接触可能に設けられ、その手を通して脈波信号を検出する脈波センサ（２０）と、
前記心電信号に基づく心電図Ｒ波と前記脈波信号に基づく脈波基準点との時間差、前記脈波信号に基づく脈波振幅などの計測情報を取得する計測部（６０）と、
前記計測情報を使用して血圧を計算する演算部（７０）と、
前記血圧を表示する表示部（５０）と、
前記筐体（１０）を保持する両手（２，３）と、各手に対応する前記心電用電極（３０）及び前記脈波センサ（２０）との接触が維持された状態において、前記計測部（６０）が前記計測情報の取得を開始するための計測開始部（６１,１６１，２６１，３６１，４６１，５６１）と、を備え、
前記計測開始部は、前記筐体の底面から突き出す向きに付勢され、該底面を下側として前記筐体を載置状態とすることで該筐体内に引っ込む操作ボタン（１６１）として構成されていることを特徴とする血圧計測装置（１Ｅ，１Ｅ’）。
【請求項２】
両手（２，３）で保持される筐体（１０）と、
前記筐体（１０）を保持する両手（２，３）とそれぞれ接触可能に設けられ、それらの手を通して心電信号を検出する１対の心電用電極（３０）と、
前記筐体（１０）を保持する両手（２，３）のいずれかと接触可能に設けられ、その手を通して脈波信号を検出する脈波センサ（２０）と、
前記心電信号に基づく心電図Ｒ波と前記脈波信号に基づく脈波基準点との時間差、前記脈波信号に基づく脈波振幅などの計測情報を取得する計測部（６０）と、
前記計測情報を使用して血圧を計算する演算部（７０）と、
前記血圧を表示する表示部（５０）と、
前記筐体（１０）を保持する両手（２，３）と、各手に対応する前記心電用電極（３０）及び前記脈波センサ（２０）との接触が維持された状態において、前記計測部（６０）が前記計測情報の取得を開始するための計測開始部（６１,１６１，２６１，３６１，４６１，５６１）と、を備え、
前記筐体は、平らな底面を下側として台上に載置することで、前記表示部が水平方向を向き、かつ上下が高さ方向となるように起立するものであり、
前記計測開始部は、前記筐体を保持するユーザ自身による押動操作は困難であるが、第３者による押動操作は容易な、該筐体の上方部位に配置される操作ボタン（２６１）として構成されていることを特徴とする血圧計測装置（１Ｆ）。
【請求項３】
ユーザ情報を入力する情報入力部（４１）を備え、前記情報入力部から前記ユーザ情報が入力されたことを条件として、前記計測開始部の機能が有効化される請求項１又は２に記載の血圧計測装置。
【発明の詳細な説明】
【技術分野】
【０００１】
本発明は、血圧計測装置に関する。
【背景技術】
【０００２】
この種の計測装置として、両手のそれぞれに対応して電流印加用電極及び電圧計測用電極が設けられた健康管理指針アドバイス装置が知られている（例えば、下記特許文献１参照）。この健康管理指針アドバイス装置は、具体的には体脂肪を計測するものであり、両電圧計測用電極から取り出された電位に基づいて身体のインピーダンスを計算する。右手の親指側の電流印加用電極の先端部には、両電圧計測用電極から電位を取り出すトリガーとなる計測開始スイッチが設けられ、両手をそれぞれ対応する電流印加用電極及び電圧計測用電極に添えると、右手の親指が自然と計測開始スイッチに触れ、電圧計測用電極による電位の計測が開始されるようになっている。
【先行技術文献】
【特許文献】
【０００３】
【特許文献１】特開平１０−１７４６８０号公報
【発明の概要】
【発明が解決しようとする課題】
【０００４】
しかし、上記特許文献１に記載されている健康管理指針アドバイス装置は、あくまでも身体のインピーダンスを１回計測するに過ぎないものであるのに対し、本願発明に代表される血圧計測装置は、連続的に変化する心電信号及び脈波信号を検出して、これらの検出値から血圧を計算するものであり、電極や脈波センサへの接触状態の変化に応じて心電図や脈波にノイズが乗りやすく、計測が困難となるケースが多い。つまり、電極や脈波センサに触れたまま計測を開始できる操作系とする要請が上記した健康管理指針アドバイス装置に比べて強く、上記従来の構成では、電極のみならず脈波センサとの接触状態をも良好に維持する必要があるという観点が何ら考慮されていなかった。
【０００５】
本発明は、上記課題に対処するためになされたものであり、その目的は、血圧計測装置を構成する筐体を持った状態で血圧の計算に必要な計測情報の取得を開始することができる操作系を実現可能な血圧計測装置を提供することにある。
【課題を解決するための手段及び発明の効果】
【０００６】
上記課題を達成するために、本発明の血圧計測装置は、
両手で保持される筐体と、
筐体を保持する両手とそれぞれ接触可能に設けられ、それらの手を通して心電信号を検出する１対の心電用電極と、
筐体を保持する両手のいずれかと接触可能に設けられ、その手を通して脈波信号を検出する脈波センサと、
心電信号に基づく心電図Ｒ波と脈波信号に基づく脈波基準点との時間差、脈波信号に基づく脈波振幅などの計測情報を取得する計測部と、
計測情報を使用して血圧を計算する演算部と、
血圧を表示する表示部と、
筐体を保持する両手と、各手に対応する心電用電極及び脈波センサとの接触が維持された状態において、計測部が計測情報の取得を開始するための計測開始部と、を備え、
計測開始部は、筐体の底面から突き出す向きに付勢され、該底面を下側として筐体を載置状態とすることで該筐体内に引っ込む操作ボタンとして構成されていることを特徴とする。
また、上記課題を達成するために、本発明における他の血圧計測装置は、
両手で保持される筐体と、
筐体を保持する両手とそれぞれ接触可能に設けられ、それらの手を通して心電信号を検出する１対の心電用電極と、
筐体を保持する両手のいずれかと接触可能に設けられ、その手を通して脈波信号を検出する脈波センサと、
心電信号に基づく心電図Ｒ波と脈波信号に基づく脈波基準点との時間差、脈波信号に基づく脈波振幅などの計測情報を取得する計測部と、
計測情報を使用して血圧を計算する演算部と、
血圧を表示する表示部と、
筐体を保持する両手と、各手に対応する心電用電極及び脈波センサとの接触が維持された状態において、計測部が計測情報の取得を開始するための計測開始部と、を備え、
筐体は、平らな底面を下側として台上に載置することで、表示部が水平方向を向き、かつ上下が高さ方向となるように起立するものであり、
計測開始部は、筐体を保持するユーザ自身による押動操作は困難であるが、第３者による押動操作は容易な、該筐体の上方部位に配置される操作ボタンとして構成されていることを特徴とする。
【０００７】
本発明の血圧計測装置では、ユーザが血圧計測装置の筐体を両手で持ち、各手と対応する心電用電極及び脈波センサとの接触が維持された状態において、血圧の計算に必要な計測情報の取得が開始される。すなわち、計測部が計測情報の取得を開始するに際して、筐体を保持する掌及び指を持ち替えなくて済むので、心電信号及び脈波信号を高い精度で計測することができ、短時間で正確な血圧を得ることができる。
【図面の簡単な説明】
【０００８】
【図１】実施例１に係る血圧計測装置を示す斜視図。
【図２】（Ａ）は図１の血圧計測装置の正面図。（Ｂ）は（Ａ）の平面図。（Ｃ）は（Ａ）の側面図。（Ｄ）は（Ａ）の背面図。（Ｅ）は（Ａ）の底面図。
【図３】（Ａ）は図１の血圧計測装置を両手で保持した状態を示す正面図。（Ｂ）は（Ａ）の平面図。
【図４】図１の血圧計測装置の操作系を示す説明図。
【図５】（Ａ），（Ｂ）は図１の血圧計測装置の使用イメージを示す説明図。
【図６】図１の血圧計測装置の状態遷移図。
【図７】図６に対応し、計測回路及び演算回路により実行される血圧計算プログラムを示すフローチャート。
【図８】（Ａ）は心電図と脈波を示すグラフ。（Ｂ）は脈波を示すグラフ。（Ｃ）は脈波を２階微分した加速度脈波を示すグラフ。
【図９】（Ａ）は実施例１の変形例１に係る血圧計測装置の正面図。（Ｂ）は実施例１の変形例２に係る血圧計測装置の背面図。
【図１０】（Ａ）は実施例１の変形例３に係る血圧計測装置の正面図。（Ｂ）は実施例１の変形例４に係る血圧計測装置の正面図。
【図１１】実施例１の変形例５に係る血圧計測装置の状態遷移図。
【図１２】図１１に対応し、計測回路及び演算回路により実行される血圧計算プログラムを示すフローチャート。
【図１３】実施例１の変形例６に係る血圧計測装置の正面図。
【図１４】図１３の血圧計測装置の状態遷移図。
【図１５】図１４に対応し、計測回路及び演算回路により実行される血圧計算プログラムを示すフローチャート。
【図１６】（Ａ），（Ｂ）は実施例２に係る血圧計測装置を使用イメージと共に示す説明図。
【図１７】実施例２の変形例３に係る血圧計測装置を使用イメージと共に示す説明図。
【図１８】実施例３に係る血圧計測装置を使用イメージと共に示す説明図。
【図１９】実施例４に係る血圧計測装置を使用イメージと共に示す説明図。
【図２０】実施例５に係る血圧計測装置を使用イメージと共に示す説明図。
【図２１】実施例５の変形例１に係る血圧計測装置を使用イメージと共に示す説明図。
【発明を実施するための形態】
【０００９】
以下、本発明の実施形態について図面を用いて説明する。
【実施例１】
【００１０】
血圧計測装置１Ａは、ユーザ（被測定者）の心電信号及び脈波信号を検出する機能、心電信号及び脈波信号に基づいて計測情報を取得する機能、計測情報を使用して血圧を計算する機能、計算した血圧を表示する機能を有するものであり、図１〜図３に示されるように、筐体１０、脈波センサ２０、心電用電極３０、情報入力ボタン４１、表示部５０、計測回路６０、操作ボタン６１、演算回路７０を含んで構成されている。なお、図２、３では、情報入力ボタン４１、操作ボタン６１等の操作系の記載が省略されている。
【００１１】
筐体１０は、球形状に形成されている。ここで、本明細書において「球形状」とは、幾何学で定義される厳密な意味での球形に限定されるものではなく、断面形状（横断面又は縦断面）が卵形や楕円形、楕円に似た凸状の閉じた滑らかな曲線、あるいは長円形などを広く含む意である。具体的に、筐体１０は、正面視にて円形に近く（図２（Ａ）参照）、平面視にて楕円形に近く（図２（Ｂ）参照）、側面視にて卵形に近い形態をなし（図２（Ｃ）参照）、ケース体１１と蓋体１２とを備え、ケース体１１の平らな底部１１ａを下側として台上に載置することで起立するようになっている。
【００１２】
ケース体１１と蓋体１２は、協働して計測回路６０及び演算回路７０を含む回路基板を内部に収容し（図１、図２（Ａ）の破線参照）、ケース体１１が正面側に配置され、蓋体１２が背面側に配置される（図２（Ｂ）、２（Ｃ）参照）。具体的には、筐体１０をその高さ方向にて二等分する水平面をＨとし、その水平面Ｈで規定される筐体１０の前後方向厚さを二等分する垂直面をＶ１とした場合、蓋体１２は垂直面Ｖ１よりも後方側に配置される。また、水平面Ｈで規定される筐体１０の左右方向厚さを二等分する垂直面をＶ２とした場合、筐体１０は垂直面Ｖ２に対して左右対称である。
【００１３】
ケース体１１は、図２（Ｃ）の側面視に示されるように、水平面Ｈよりも下方領域にて最も前側に突出する頂部１１ｂを有し、頂部１１ｂよりも下側の周面１１ｃは力を抜いたユーザの掌の自然なカーブに近い、法線が斜め下向きに延び出す曲面形状に形成されている。このため、図３に示されるように、ユーザが筐体１０を両手２，３で保持する場合、掌２ａ，３ａをケース体１１の周面１１ｃに密着させてケース体１１を斜め下（斜め横）から支え持つようにするのが自然な格好となる。
【００１４】
つまり、ユーザが筐体１０を両手２，３で保持すると、掌２ａ，３ａ及び指２ｂ，３ｂの自然な曲げ動作に応じて、掌２ａ，３ａと指２ｂ，３ｂの基端部がケース体１１の周面１１ｃと面接触するとともに、指２ｂ，３ｂの先端部及び中間部が蓋体１２の周面１２ａと面接触するようになる。したがって、ユーザは筐体１０をグリップのように握り込むことがないので、両手２，３に余計な力が入らなくなって、安定した計測を行うことができる。
【００１５】
脈波センサ２０は、発光素子（例えば発光ダイオード）及び受光素子（例えばフォトダイオード）を含んで構成される周知の光学式反射型センサである。具体的には、発光素子から乗員の手に向けて光が照射されると、光の一部が人体の内部を通る小・細動脈（毛細動脈）を流れる血液中のヘモグロビンに吸収され、残りの光が小・細動脈で反射して散乱し、散乱した光の一部が受光素子に入射する。血液の脈動により小・細動脈を流れるヘモグロビンの量は波動的に変化し、ヘモグロビンに吸収される光も波動的に変化する。したがって、小・細動脈で反射して受光素子で検出される受光量が変化することになり、このときの受光量の変化を脈波信号（例えば電圧信号）として計測回路６０に出力する。
【００１６】
脈波センサ２０は、筐体１０を保持する片方の手３に対応して設けられている。具体的には、脈波センサ２０は、ケース体１１の、水平面Ｈよりも下方、かつ垂直面Ｖ１よりも前方に配置されている。より具体的には、脈波センサ２０は、図２（Ｃ）の側面視に示されるように、ケース体１１が前側に最も突出する頂部１１ｂに近い、頂部１１ｂの上方位置に配置され、筐体１０を両手２，３で保持したときに掌３ａの拇指球（親指の付け根のふくらんだ部分）に対応する部位に埋設されている（図３参照）。なお、脈波センサ２０は、掌３ａの拇指球に対応する部位に限らず、掌２ａの拇指球に対応する部位に設けるようにしてもよい。
【００１７】
脈波センサ２０を通して脈波信号を検出する場合、脈波センサ２０を適度な力で押圧する必要がある。すなわち、脈波センサ２０と掌３ａ（２ａ）の皮膚とが確実に接触する程度の力を脈波センサ２０に加える必要があるが、力を入れ過ぎると皮膚の下の血管がつぶれてしまい脈波信号を検出できなくなってしまう。一方、脈波センサ２０を押圧する手の部分を親指とした場合には、力を入れ過ぎないように力の加減は容易となるが、脈波センサ２０上に親指を乗せる必要があることに加えて、脈波センサ２０に対して一定かつ適度な大きさの力を継続して加える必要があることから、親指が震えてしまいノイズが発生しやすい。
【００１８】
これに対して、脈波センサ２０を掌３ａ（２ａ）の拇指球に対応する部位に設けるようにした場合には、筐体１０を両手２，３で保持するだけで脈波センサ２０と掌３ａ（２ａ）とを接触させることが可能であり、ユーザに脈波センサ２０の存在を意識させなくて済むので、脈波センサ２０に対して一定かつ適度な大きさの力を継続して加えることができる。
【００１９】
心電用電極３０は、心電信号（電極間の電位差に基づく信号）を検出して計測回路６０に出力するものであり、図２（Ｃ）及び２（Ｄ）に示されるように、筐体１０を保持する両手２，３の指２ｂ，３ｂに対応して設けられた左右一対の左手用電極３１及び右手用電極３２と、同じく左右一対の中間電極３３，３４とを備えている。各電極３１〜３４は、いずれも蓋体１２から所定量（例えば、０．５ｍｍ〜１．０ｍｍ）だけ突出した状態で筐体１０内に組み込まれている。
【００２０】
左手用電極３１及び右手用電極３２は、脈波センサ２０を通って水平面Ｈと平行な面を水平面Ｈ１とした場合、いずれもその少なくとも一部が水平面Ｈ１よりも上方に配置されている。これは、ユーザが筐体１０を両手２，３で保持し、掌２ａ，３ａをケース体１１の周面１１ｃに密着させてケース体１１を斜め下（斜め横）から支え持つようにした場合に、掌２ａ，３ａでの保持位置が大きく変わったとしても、指２ｂが左手用電極３１に確実に触れ、指３ｂが右手用電極３２に確実に触れるようにしたものである。
【００２１】
中間電極３３，３４は、電極３１、３２と同じく、いずれもその少なくとも一部が水平面Ｈ１よりも上方に配置されている。これにより、ユーザが筐体１０を両手２，３で保持し、掌２ａ，３ａをケース体１１の周面１１ｃに密着させてケース体１１を斜め下（斜め横）から支え持つようにした場合に、指２ｂが左手用電極３１と中間電極３３に確実に触れ、指３ｂが右手用電極３２と中間電極３４に確実に触れるようになる。中間電極３３，３４は、筐体１０の内部で短絡されて一つの電極として機能し、各電極３１〜３４で検出された信号が例えばオペアンプで作動増幅されることによって、体動によるノイズが効果的に除去されるようになっている。
【００２２】
表示部５０は、図４に示されるように、例えば７セグメントＬＥＤ５１を用いたディスプレイであり、ユーザが見やすいように、水平面Ｈよりも上方かつ垂直面Ｖ１よりも前方に配置されている。表示部５０は、測定結果、すなわち演算回路７０により計算されたユーザの血圧（最高血圧、最低血圧）を表示する。なお、表示部５０は、７セグメントＬＥＤ５１を用いたものに限らず、ＬＣＤ（液晶）や有機ＥＬ等を用いたディスプレイを広く採用することができる。
【００２３】
計測回路６０は、ＣＰＵ、ＲＯＭ、ＲＡＭなどからなるマイクロコンピュータ、入力Ｉ／Ｆ（インタフェース）回路及び出力Ｉ／Ｆ（インタフェース）回路を主要構成部品とし、心電用電極３０からの心電信号と脈波センサ２０からの脈波信号に基づいて、心電図Ｒ波と脈波基準点との時間差や脈波振幅を含む脈波の形状パラメータ、脈波を２階微分した加速度脈波における各ピークの振幅を含む加速度脈波の形状パラメータなどの血圧の計算に必要な計測情報を取得（計算）し、それらの計算値をＲＡＭに記憶するとともに演算回路７０に出力する。計測回路６０が本発明の計測部に相当する。
【００２４】
演算回路７０は、ＣＰＵ、ＲＯＭ、ＲＡＭなどからなるマイクロコンピュータ、入力Ｉ／Ｆ（インタフェース）回路及び出力Ｉ／Ｆ（インタフェース）回路を主要構成部品とし、ＲＯＭに記憶された図７の血圧計算プログラムの実行に応じて、計測回路６０からの計測情報を使用して血圧を計算し、それらの計算値をＲＡＭに記憶するとともに表示部５０に表示する。演算回路７０が本発明の演算部に相当する。
【００２５】
次に、血圧計測装置１Ａの操作系について説明する。本実施例１では、図４に示されるように、操作系として電源スイッチ８０、情報入力ボタン４１及び操作ボタン６１がケース体１１に設けられている。電源スイッチ８０は、計測回路６０及び演算回路７０（図１，２参照）をオン・オフするための手動操作スイッチである。情報入力ボタン４１は、例えば身長や年齢、体重、性別などのユーザ情報を入力するための手動操作スイッチである。情報入力ボタン４１が本発明の情報入力部として機能する。
【００２６】
操作ボタン６１は、計測回路６０が上記計測情報を取得するトリガーとなる手動操作スイッチである。操作ボタン６１は、筐体１０を保持する両手２，３のうち、脈波センサ２０と接触しない側の手２の指２ｂと接触可能な位置に配置されている。具体的には、操作ボタン６１は、手２の親指２ｃ（図５参照）で操作可能な位置、すなわち筐体１０において水平面Ｈよりも上方で垂直面Ｖ１よりも前方の部位（筐体１０における上半分の前面部位）に配置されている。
【００２７】
このように、操作ボタン６１が筐体１０の正面視においてユーザの視認できる位置に設けられているので、操作ボタン６１を押したかどうかの確認が容易であり、操作に対する安心感を与え、操作性が良好に確保される。操作ボタン６１が本発明の計測開始部に相当する。
【００２８】
そして、本実施例１の血圧計測装置１Ａは、図５に示される態様で使用することができる。最初に、右手３で筐体１０を支えながら、掌３ａで脈波センサ２０に触れ、指３ｂで右手用の心電電極３２及び中間電極３４に触れた状態で、左手２で情報入力ボタン４１を操作してユーザ情報を入力する（図５（Ａ））。
【００２９】
次に、筐体１０を両手２，３で支えるように左手２を筐体１０に添える（図５（Ｂ））。このとき、左手２の指２ｂで左手用の心電電極３１及び中間電極３３に触れる。このような左手２の一連の動作の流れの中で、左手２の親指２ｃで操作ボタン６１を押す。これにより、掌３ａで脈波センサ２０に触れた後は、右手３を一切持ち直さなくて済むので、脈波センサ２０で検出される脈波信号にノイズが乗りにくくなる。
【００３０】
次に、上記のように構成された血圧計測装置１Ａの作動について説明する。最初に図６に基づいて、血圧計測装置１Ａの状態遷移について説明しておく。電源スイッチ８０のオンにより、回路の初期化後（Ｔ２）、計測回路６０及び演算回路７０（図１，２参照）の電源がオンとなり（Ｔ３）、血圧計測モードに移行してユーザ情報の入力待ち状態となる（Ｔ４）。この状態で、ユーザ情報の入力が完了すると、計測開始入力待ち状態となり（Ｔ５）、操作ボタン６１が押圧操作されると、「計測中」モードに移行して計測情報の取得が開始される（Ｔ６）。計測情報に基づいて血圧の計算が完了すると、表示部５０に血圧が表示される（Ｔ７）。その後はユーザ情報の入力待ち状態となり（Ｔ４）、ユーザ情報の入力があればＴ５〜Ｔ７が実行される一方で、電源スイッチ８０のオフにより、血圧計測装置１Ａの起動が停止される（Ｔ１）。
【００３１】
次に、図７の血圧計算プログラムに基づいて、血圧計測装置１Ａの作動についてより具体的に説明する。電源スイッチ８０のオンで起動し（Ｓ１０）、情報入力ボタン４１による入力操作が有効となる（Ｓ１３）。情報入力ボタン４１の操作によりユーザ情報が入力されると（Ｓ１４：ＹＥＳ）、操作ボタン６１による入力操作が有効となる（Ｓ１５）。換言すれば、ユーザ情報が未入力のときは（Ｓ１４：ＮＯ）、操作ボタン６１による入力操作は無効とされている。操作ボタン６１の押圧操作をトリガーとして、計測回路６０がステップＳ１７〜Ｓ２０の処理を実行し、演算回路７０がステップＳ２１〜Ｓ２３の処理を実行する。
【００３２】
具体的に、計測回路６０は、図８（Ａ）に示されるように、心電用電極３０により検出された信号に基づいて心電図を測定し、脈波センサ２０により検出された信号に基づいて脈波を測定する（Ｓ１７）。そして、計測回路６０は、心電図における心電図Ｒ波と脈波における脈波基準点（例えば、立ち上がり点）との時間差ＰＴＴ（心電信号に対する脈波信号の遅れ時間（ｔ２−ｔ１））を計算し（Ｓ１８）、例えば図８（Ｂ）に示されるような脈波の形状パラメータ（α，β，γ，θ，Ｔα，Ｔβ，Ｔγ，Ｔθ…）を計算し（Ｓ１９）、例えば図８（Ｃ）に示されるような脈波を２階微分した加速度脈波の形状パラメータ（ａ，ｂ，ｃ，ｄ，ｅ）を計算する（Ｓ２０）。
【００３３】
続いて、演算回路７０は、計測回路６０からの時間差ＰＴＴ、脈波の形状パラメータ（α，β，γ，θ，Ｔα，Ｔβ，Ｔγ，Ｔθ…）、及び加速度脈波の形状パラメータ（ａ，ｂ，ｃ，ｄ，ｅ）を使用し、さらにユーザ情報を考慮に入れて次式（１）により血圧ＢＰを求める（Ｓ２１）。
ＢＰ＝Ｆ(ＰＴＴ，α，β，γ，θ，Ｔα，Ｔβ，Ｔγ，Ｔθ，ａ，ｂ，ｃ，ｄ，ｅ…)
・・・  （１）
【００３４】
演算回路７０は、ステップＳ２１の処理後、求めた血圧ＢＰを出力Ｉ／Ｆ回路を介して表示部５０に表示する（Ｓ２２：ＹＥＳ，Ｓ２３）。この場合、通常の血圧計と同様、血圧ＢＰとして最高血圧、最低血圧が示される。
【００３５】
以上の説明からも明らかなように、上記実施例１では、ユーザが血圧計測装置１Ａの筐体１０を両手２，３で持ち、各手と対応する心電用電極３０（３１〜３４）及び脈波センサ２０との接触が維持された状態において、血圧の計算に必要な計測情報の取得が開始される。すなわち、計測回路６０が計測情報の取得を開始するに際して、筐体１０を保持する掌３ａ及び指３ｂを持ち替えなくて済むので、心電信号及び脈波信号を高い精度で計測することができ、短時間で正確な血圧値を得ることができる。
【００３６】
（変形例）
上記実施例１では、操作ボタン６１が、筐体１０を保持する両手２，３のうち、脈波センサ２０と接触しない側の手２の親指２ｃ（図５参照）で操作可能な位置、すなわち筐体１０において水平面Ｈよりも上方で垂直面Ｖ１よりも前方に配置されるように構成したが、これに代えて筐体１０を保持する両手２，３のうち、脈波センサ２０と接触しない側の手２の人差し指２ｂで操作可能な位置、例えば図９（Ａ）の血圧計測装置１Ｂに示されるように、筐体１０において水平面Ｈよりも上方かつ垂直面Ｖ２を基準として脈波センサ２０とは反体側に配置される構成（変形例１）、あるいは例えば図９（Ｂ）の血圧計測装置１Ｂ’に示されるように、筐体１０において水平面Ｈよりも上方かつ垂直面Ｖ１（図２（Ｃ）参照）よりも後方に配置される構成（変形例２）としてもよい。
【００３７】
また、上記変形例１のように操作ボタン６１が、脈波センサ２０と接触しない側の手２の人差し指２ｂで操作可能な位置に配置される場合に限らず、筐体１０を保持する両手２，３のうち、脈波センサ２０と接触しない側の掌２ｂで操作可能な位置、例えば図１０（Ａ）の血圧計測装置１Ｃに示されるように、筐体１０において水平面Ｈよりも下方かつ垂直面Ｖ１よりも前方に配置される構成（変形例３）、あるいは例えば図１０（Ｂ）の血圧計測装置１Ｃ’に示されるように、筐体１０において垂直面Ｖ２を基準として脈波センサ２０とは反体側に配置される構成（変形例４）としてもよい。なお、図９，１０では、情報入力ボタン４１の記載が省略されている。その他の構成は上記実施例１と同じであるため、上記実施例１に対応する部材、部位には同一の符号を付して説明は省略する。
【００３８】
これらの変形例１〜４によっても、上記実施例１と同様、計測回路６０が計測情報の取得を開始するに際して、筐体１０を保持する掌３ａ及び指３ｂを持ち替えなくて済むので、心電信号及び脈波信号を高い精度で計測することができる。
【００３９】
また、上記実施例１及びその変形例１〜４では、ユーザ情報を入力するための情報入力ボタン４１が筐体１０に設けられ、情報入力ボタン４１により入力されたユーザ情報を考慮に入れて血圧を計算するようにしたので、血圧を精度良く計算することができた。ただし、ユーザ情報を用いることなく血圧を簡易に計算することも可能であり、この場合には、情報入力ボタン４１を省略した構成（変形例５（実施例１及びその変形例１〜４毎に適用可能））とすることもできる。
【００４０】
この変形例５では、図１１に示されるように、計測回路６０及び演算回路７０のオン後（Ｔ３）、ユーザ情報の入力待ち状態を経由することなく、直ちに計測開始入力待ち状態となる（Ｔ５）。ユーザ情報の入力待ち状態が省略されることに対応して、この変形例５で実行される図１２の血圧計算プログラムでは、上記実施例１で実行される図７の血圧計算プログラムから、ステップＳ１３及びＳ１４の処理が省略されることとなる。血圧計算プログラムにおけるその他のステップは上記実施例１と同じであるため、対応するステップには同一の符号を付して説明は省略する。
【００４１】
上記実施例１及びその変形例１〜５に係る血圧計測装置１Ａ等に時計表示機能を持たせることができる。図１３は、上記実施例１に係る血圧計測装置１Ａに時計表示機能を持たせた例を代表して示したもの（変形例６）である。この変形例６に係る血圧計測装置１Ｄでは、図１４に示されるように、電源スイッチ８０のオンにより、回路の初期化後（Ｔ２）、時計表示機能が発揮されて表示部５０に時間が表示される（Ｔ１１）。血圧を計測したい場合には、筐体１０に設けられた機能切替スイッチ４２を操作して時計表示モードから血圧計測モードに切り替える。時計表示モードに切り替えられている場合には、計測回路６０及び演算回路７０がオフとされた省電力状態にあり（Ｔ１２）、血圧計測モードに切り替えられると計測回路６０及び演算回路７０がオンとなる（Ｔ３）。血圧の計測が完了した後、機能切替スイッチ４２を操作して血圧計測モードから時計表示モードに切り替える。
【００４２】
時計表示機能が追加されることに対応して、この変形例６で実行される図１５の血圧計算プログラムでは、上記実施例１で実行される図７の血圧計算プログラムに、ステップＳ１１及びＳ１２の処理が付加されている。そして、機能切替スイッチ４２の操作により血圧計測モードに切り替えられた場合に（Ｓ１２：ＹＥＳ）、Ｓ１３以降の処理（情報入力ボタン４１が省略された変形例５に適用する場合はＳ１５以降の処理）が実行されることとなる。なお、血圧計測モード中（ステップＳ１３〜Ｓ２３）に機能切替スイッチ４２が操作されて時計表示モードに切り替えられた場合には、直ちに時計表示モードに移行するように設定されている。その他のステップは上記実施例１と同じであるため、対応するステップには同一の符号を付して説明は省略する。
【００４３】
上記変形例６の仕様は、情報入力ボタン４１によりユーザ情報を入力する血圧計測装置１Ａに限らず、その血圧計測装置１Ａから情報入力ボタン４１を省略した変形例５に係る血圧計測装置に対して適用することができ、さらに操作ボタン６１の位置がそれぞれ異なる変形例１〜４に係る血圧計測装置１Ｂ，１Ｂ’，１Ｃ，１Ｃ’や、血圧計測装置１Ｂ，１Ｂ’，１Ｃ，１Ｃ’からそれぞれ情報入力ボタン４１を省略した変形例５に対応する各種血圧計測装置に対しても適用することができる。
【００４４】
なお、上記実施例１及びその変形例１〜６では、脈波センサ２０が右手３の掌３ａ又は指３ｂと接触可能な位置に設けられ、操作ボタン６１が左手２の掌２ａ、人差し指２ｂ又は親指２ｃと接触可能な位置に設けられるように構成したが、脈波センサ２０と操作ボタン６１が左右逆に配置される構成としてもよい。
【実施例２】
【００４５】
上記実施例１では、操作ボタン６１が左手２の掌２ａ、人差し指２ｂ又は親指２ｃと接触可能な位置に設けられるように構成したが、これに代えて例えば図１６の血圧計測装置１Ｅに示されるように、筐体１０の底面１１ａに設けられる操作ボタン１６１として構成してもよい。なお、図１６では、情報入力ボタン４１の記載が省略されている。その他の構成は上記実施例１と同じであるため、上記実施例１に対応する部材、部位には同一の符号を付して説明は省略する。
【００４６】
操作ボタン１６１は、筐体１０の底面１１ａから突き出す向きに付勢され、筐体１０を両手２，３で持ったままの状態で底面１１ａを下側として机、床等の面５上に置くと、面５により上向きに押されて筐体１０内に引っ込む。すなわち、操作ボタン１６１が筐体１０外に突出するとオフとなる一方、筐体１０内に引っ込むと、計測回路６０及び演算回路７０がオンとなり、計測回路６０による計測情報の取得が開始される。
【００４７】
筐体１０を面５上に置くことで、ユーザの体動が抑えられ、心電信号、脈波信号に体動に伴うノイズが乗りにくくなる。したがって、この実施例２によれば、血圧の計算をより短時間に正確に計算できるようになるという効果が得られる。
【００４８】
（変形例）
なお、この実施例２においても、上記実施例１の変形例５の場合と同様、ユーザ情報を用いることなく血圧を計算することが可能であり、情報入力ボタン４１を省略した構成とすることができる（変形例１）。また、上記実施例１の変形例６の場合と同様、筐体１０に機能切替スイッチ４２を設けることもできる（変形例２）。
【００４９】
この変形例２において、機能切替スイッチ４２が時計表示モードに切り替えられている場合には、操作ボタン１６１のオン・オフに関わらず、計測回路６０及び演算回路７０がオフとされる一方、機能切替スイッチ４２が血圧計測モードに切り替えられ、かつ操作ボタン１６１がオンとなったことを条件として、計測回路６０及び演算回路７０がオンとなるように設定することができる。
【００５０】
すなわち、ユーザによる血圧計測の意思が確認され、心電信号、脈波信号に体動に伴うノイズが乗りにくくなった状態が確定した時点で、計測回路６０による計測情報の取得が開始されるように設定することができる。この変形例２によっても、上記実施例２と同様、血圧の計算をより短時間に正確に計算することができる。
【００５１】
上記実施例２の変形例２では、時計表示機能を有する血圧計測装置１Ｅを時計表示モードから血圧計測モードへ移行させるために少なくとも機能切替スイッチ４２による手動の切替操作が必要であったが、これに代えて例えば図１７の血圧計測装置１Ｅ’に示されるように、時計表示モードと血圧計測モード間の遷移を自動的に実行させるように構成することもできる（変形例３）。なお、図１７では、情報入力ボタン４１の記載が省略されている。その他の構成は上記実施例２と同じであるため、上記実施例２に対応する部材、部位には同一の符号を付して説明は省略する。
【００５２】
この変形例３では、脈波センサ２０及び心用電極３０が、それぞれ自身への接触を検出するタッチセンサとしての機能も兼ね備えている。心用電極３０への接触は、例えば心電電極３１，３２間のインピーダンスを測定する方法がある。一方、脈波センサ２０への接触は、例えば受光部の信号が所定の閾値以下に下がった場合に受光部が掌で遮光されたと判定し、あるいは脈波センサ２０に可動部を設け、その可動部が掌で押動された場合に受光部が掌で遮光されたと判定することができる。そして、時計表示モードの状態で、操作ボタン１６１がオンからオフに変化したときに時計表示モードから血圧計測モードに移行し、そのタッチセンサがオンで、かつ操作ボタン１６１がオフからオンとなったときに計測情報の取得が開始されるようになる。
【００５３】
具体的には、図１７（Ａ）に示されるように、血圧計測装置１Ｅ’が面５上に置かれ、操作ボタン１６１がオンのとき血圧計測装置１Ｅ’は時計表示モードに移行している。この時計表示モードでは、脈波センサ２０及び心用電極３０がタッチセンサとして機能するために必要な電源がオフとなり、計測回路６０の電源もオフとなっている。
【００５４】
この状態から、図１７（Ｂ）に示されるように、血圧計測装置１Ｅ’が持ち上げられ、操作ボタン１６１がオンになると、タッチセンサが起動、すなわち脈波センサ２０及び心用電極３０がタッチセンサとして機能するために必要な電源がオンとなり、計測回路６０の電源もオンとなって血圧計測モードに移行する。
【００５５】
その後、図１７（Ｃ）に示されるように、筐体１０を両手２，３で支え、右手３の掌３ａで脈波センサ２０に触れ、指３ｂで右手用の心電電極３２及び中間電極３４に触れるとともに、左手２の指２ｂで左手用の心電電極３１及び中間電極３３に触れることでタッチセンサがオンとなる。この場合、上記実施例１のようにユーザ情報を入力するタイプの場合（図６参照）は、情報入力ボタン４１を操作してユーザ情報を入力すると、計測開始入力待ち状態となる一方、上記実施例１の変形例５のようにユーザ情報を入力しないタイプの場合は（図１１参照）、タッチセンサのオンにより計測開始入力待ち状態となる。
【００５６】
最後に、図１７（Ｄ）に示されるように、筐体１０を両手２，３で持ったままの状態で面５上に置くと、タッチセンサがオンで、かつ操作ボタン１６１がオンとなり、計測開始入力待ち状態であれば、「計測中」モードに移行する。
【００５７】
なお、上記変形例３のように脈波センサ２０及び心用電極３０がタッチセンサとしての機能を備える構成に代えて、例えば操作ボタン１６１がオンからオフを経て再びオンとなったとき（図１７（Ａ）から１７（Ｄ）へとこの順に遷移したとき）、時計表示モードから血圧計測モードに移行させると同時に、計測開始入力待ち状態であれば、「計測中」モードに移行するよう、操作ボタン１６１が計測開始部の機能と機能切替の機能とを併有するように構成することも可能である。
【００５８】
このように操作ボタン１６１は、時計表示モードと血圧計測モード間の機能を切り替えるスイッチとしての役割を果たし得るため、上記実施例１の変形例６における機能切替スイッチ４２として適用することも可能である。
【実施例３】
【００５９】
上記実施例１，２に代えて、例えば図１８の血圧計測装置１Ｆに示されるように、筐体１０の上面に配置される操作ボタン２６１として構成してもよい。なお、図１８では、情報入力ボタン４１の記載が省略されている。その他の構成は上記実施例１と同じであるため、上記実施例１に対応する部材、部位には同一の符号を付して説明は省略する。
【００６０】
操作ボタン２６１は、筐体１０を保持するユーザ自身による押動操作は困難であるが、医師や看護師等の第３者の手４による押動操作が容易な位置、すなわちユーザ自身は操作ボタン２６１を押せないが第３者に押してもらいやすい筐体１０の上方部位に設けられている。ユーザが筐体１０を持ったままの状態で、第３者により操作ボタン２６１が押されると、計測回路６０及び演算回路７０がオンとなり、計測回路６０による計測情報の取得が開始される。
【００６１】
すなわち、この実施例３では、医師や看護師等の第３者がユーザに対して筐体１０を両手２，３で持つように指示し、ユーザが筐体１０を持ったことを確認した上で、その第３者が操作ボタン２６１を押すことが通常の使用態様となる。
【００６２】
従来の装置では、計測に際して第３者が操作ボタンを押すという概念がなく、ユーザが１人で計測することを前提としていたが、上記実施例３のように第３者が操作ボタン２６１を押すことを前提とした構成とすることで、ユーザに心理的な安心感を与えることができる。この場合、筐体１０の正面（表面）に設けられた表示部５０とは別に、例えば図１８にて破線で示すように、筐体１０の背面（裏面）にも計測結果を表示する表示部５１を設けるようにすれば、第３者が計測結果を直ちに確認することができる。
【００６３】
なお、この実施例３においても、上記実施例１の変形例５の場合と同様、ユーザ情報を用いることなく血圧値を計算することが可能であり、情報入力ボタン４１を省略した構成とすることができる。また、上記実施例１の変形例６の場合と同様、筐体１０に機能切替スイッチ４２を設けることもできる。
【実施例４】
【００６４】
上記実施例１〜３の操作ボタン６１，１６１，２６１に代えて、例えば図１９の血圧計測装置１Ｇに示されるように、筐体１０の内部に該筐体１０の傾き、あるいは動きを検出する、例えば加速度センサ等のセンサ３６１を設けてもよい。なお、図１９では、情報入力ボタン４１の記載が省略されている。その他の構成は上記実施例１と同じであるため、上記実施例１に対応する部材、部位には同一の符号を付して説明は省略する。
【００６５】
ユーザが筐体１０を持ったままの状態で軽く振ると、その動きがセンサ３６１により検出され、計測回路６０及び演算回路７０がオンとなり、計測回路６０による計測情報の取得が開始される。この場合、ユーザの意思に反して計測が開始されることを防止するために、筐体１０に対して所定の方向（例えば縦方向のみ）に加速度が作用し、あるいは筐体１０に対して予め定められた基準値以上の加速度が作用したことをセンサ３６１が検出したときに、計測回路６０及び演算回路７０がオンとなるように設定することができる。
【００６６】
計測情報の取得を開始した場合には、表示部５０にその旨を表示し、あるいはブザー等でその旨を報知してユーザに知らせることができる。計測中モードで計測を止めたい場合には、例えば再度筐体１０が振られ、センサ３６１により再度加速度が検出されたときに、計測を止めるように設定することができる。計測を途中で止めた場合にも、表示部５０にその旨を表示し、あるいはブザー等でその旨を報知してユーザに知らせることができる。
【００６７】
この実施例４では、上記実施例１〜３のように操作ボタン６１，１６１，２６１を使用しないので、筐体１０の見栄えを良くすることができる。なお、この実施例４においても、上記実施例１の変形例５の場合と同様、ユーザ情報を用いることなく血圧値を計算することが可能であり、情報入力ボタン４１を省略した構成とすることができる。また、上記実施例１の変形例６の場合と同様、筐体１０に機能切替スイッチ４２を設けることもできる。機能切替スイッチ４２を設けた場合には、時計表示モードから血圧計測モードに切り替えられた場合に、センサ３６１をオンとすることで省電力化を図ることができる。
【実施例５】
【００６８】
上記実施例４の加速度センサ等のセンサ３６１に代えて、例えば図２０の血圧計測装置１Ｈに示されるように、筐体１０の表面の温度変化を検出する、例えば温度センサ等のセンサ４６１を設けてもよい。なお、図２０では、情報入力ボタン４１の記載が省略されている。その他の構成は上記実施例１と同じであるため、上記実施例１に対応する部材、部位には同一の符号を付して説明は省略する。
【００６９】
センサ４６１は、両手２，３が接触する部位（体温が伝導する範囲を含む）に設けられ、検出した温度が予め定められた基準値を超えると、計測回路６０及び演算回路７０がオンとなり、計測回路６０による計測情報の取得が開始され、検出した温度が基準値より下がると、計測情報の取得が停止される。
【００７０】
この実施例５において、センサ４６１は１つだけでもよいが、両手２，３に対応して筐体１０の左右に１つずつ、合計２つ以上設置すると、両手２，３で筐体１０を持ったことを確実に検出することができる。この場合、左右両方のセンサ４６１において検出した温度がいずれも基準値を超えると計測情報の取得を開始し、左右両方のセンサ４６１において検出した温度がいずれも基準値より下がった場合に計測情報の取得を終了するように設定することができ、計測開始後に左右どちらかのセンサ４６１による検出温度のみが基準値を下回った場合には、一時的に片手が離れたと判断して計測を続行するように設定することができる。
【００７１】
上記基準値は、人の標準的な体温よりも低い値、例えば３０℃に設定することができる。気温が３０℃を超えてしまいセンサ４６１が誤作動するおそれがある場合には、検出される温度の変化速度を基準値としてもよい。例えば、１秒以内に１℃以上のペースで温度が上昇した場合にユーザの体温を検出していると判定して計測情報の取得を開始するように設定することができる。
【００７２】
また、センサ４６１に加えて又は代えて、例えば図２１の血圧計測装置１Ｈ’に示されるように、筐体１０に体温計５６２と連動して有線あるいは無線で温度情報を受け取る受信部５６１を設けてもよい（変形例１）。なお、図２１では、情報入力ボタン４１の記載が省略されている。その他の構成は上記実施例５と同じであるため、上記実施例１に対応する部材、部位には同一の符号を付して説明は省略する。
【００７３】
受信部５６１で受信した温度が予め定められた基準値を超えると、計測回路６０及び演算回路７０がオンとなり、計測回路６０による計測情報の取得が開始される。この場合、演算回路７０は、計算した血圧と共に、受信した温度（ユーザの体温）を表示部５０に表示するように設定することもできる。センサ４６１、受信部５６１が本発明の体温検出部として機能する。
【００７４】
なお、実施例５及びその変形例１においても、上記実施例１の変形例５の場合と同様、ユーザ情報を用いることなく血圧値を計算することが可能であり、情報入力ボタン４１を省略した構成とすることができる。また、上記実施例１の変形例６の場合と同様、筐体１０に機能切替スイッチ４２を設けることもできる。機能切替スイッチ４２を設けた場合には、時計表示モードから血圧計測モードに切り替えられた場合に、センサ４６１あるいは受信部５６１をオンとすることで省電力化を図ることができる。
【実施例６】
【００７５】
上記実施例２の変形例３では、脈波センサ２０及び心用電極３０がそれぞれ自身への接触を検出するタッチセンサとしての機能も兼ね備え、脈波センサ２０及び心用電極３０がいずれもタッチセンサとしてオンとなり、かつ操作ボタン１６１がオンとなったときに計測回路６０による計測情報の取得が開始されるように構成したが、この変形例３から操作ボタン１６１を省略して脈波センサ２０及び心用電極３０がいずれもタッチセンサとしてオンとなった場合に計測回路６０による計測情報の取得が開始されるように構成することもできる。
【００７６】
この実施例６によれば、計測回路６０に計測情報の取得を開始させるトリガーとしての操作ボタン６１，１６１，２６１、センサ３６１，４６１、受信部５６１を設けなくても、脈波センサ２０及び心用電極３０に上記トリガーとしての機能を持たせることができるので、計測開始部をより一層簡易に構成することができる。
【符号の説明】
【００７７】
１Ａ，１Ｂ，１Ｂ’，１Ｃ，１Ｃ’，１Ｄ，１Ｅ，１Ｅ’，１Ｇ，１Ｈ，１Ｈ’  血圧計測装置
２，３  両手
２ａ，３ａ  掌
２ｂ，３ｂ  指
２ｃ  親指
１０  筐体
２０  脈波センサ
３０  心電用電極
３１  左手用電極
３２  右手用電極
３３，３４  中間電極
４１  情報入力ボタン（情報入力部）
４２  機能切替スイッチ
５０  表示部
６０  計測回路（計測部）
７０  演算回路（演算部）
６１，１６１，２６１  操作ボタン（計測開始部）
３６１  センサ（計測開始部）
４６１  センサ（体温検出部、計測開始部）
５６１  受信部（体温検出部、計測開始部）
５６２  体温計
Ｈ，Ｈ１  水平面
Ｖ１，Ｖ２  垂直面
【図１】
0005641011.tif 000002
【図２】
0005641011.tif 000003
【図３】
0005641011.tif 000004
【図４】
0005641011.tif 000005
【図５】
0005641011.tif 000006
【図６】
0005641011.tif 000007
【図７】
0005641011.tif 000008
【図８】
0005641011.tif 000009
【図９】
0005641011.tif 000010
【図１０】
0005641011.tif 000011
【図１１】
0005641011.tif 000012
【図１２】
0005641011.tif 000013
【図１３】
0005641011.tif 000014
【図１４】
0005641011.tif 000015
【図１５】
0005641011.tif 000016
【図１６】
0005641011.tif 000017
【図１７】
0005641011.tif 000018
【図１８】
0005641011.tif 000019
【図１９】
0005641011.tif 000020
【図２０】
0005641011.tif 000021
【図２１】
0005641011.tif 000022